(57)【要約】【課題】端部カバーを紐の端部に対して作業性良く備え付けさせる。【解決手段】雄パーツ２の脚部２０の側部には、スパイク状突部２０ｇが形成されており、雌パーツ１の筒他端側から雌パーツ１内に入れ込まれて筒一端から引き出された紐の端部Ｗにこのスパイク状突部２０ｇを突き立てさせた状態で、この雌パーツ１内への脚部２０の入れ込みをなすことにより、このスパイク状突部２０ｇと雌パーツ１の締め込み用内面１ｍとの間で紐の端部Ｗを挟み付けるようにしてこの紐の端部Ｗに留め付けられるようになっている。、雄パーツ２の前記スパイク状突部２０ｇが、脚部２０の側方から板内面間に紐の端部Ｗを受け入れ可能に形成された一対の保持板部２０ｉ、２０ｉの間に形成されている。【選択図】図２
2005296178.tif 000002
【特許請求の範囲】
【請求項１】
筒両端を解放させた筒状をなす雌パーツと、
雌パーツの筒一端側からこの雌パーツ内に入れ込まれる脚部とこの入れ込み終了位置においてこの雌パーツの筒一端にはめ付けられてこの筒一端を塞ぐ頭部とを有する雄パーツとを備えており、
雄パーツの脚部における前記入れ込み方向に沿った側部には、スパイク状突部が形成されており、雌パーツの筒他端側からこの雌パーツ内に入れ込まれて筒一端から引き出された紐の端部にこのスパイク状突部を突き立てさせた状態で、この雌パーツ内への脚部の入れ込みをなすことにより、このスパイク状突部と雌パーツの締め込み用内面との間で紐の端部を挟み付けるようにしてこの紐の端部に留め付けられるようになっており、
しかも、雄パーツの前記スパイク状突部が、脚部の側方から板内面間に紐の端部を受け入れ可能に形成された一対の保持板部の間に形成されていることを特徴とする紐の端部カバー。
【請求項２】
雄パーツの脚部の両側部にそれぞれ、スパイク状突部とこのスパイク状突部を間に置く一対の保持板部が形成されていることを特徴とする請求項１記載の紐の端部カバー。
【請求項３】
雌パーツの内部に、この雌パーツ内への雄パーツの脚部の入れ込みに伴ってこの脚部の一対の保持板部間に入り込むリブ状部が形成されていると共に、
このリブ状部の突き出し端面が締め込み用内面となっていることを特徴とする請求項１又は請求項２記載の紐の端部カバー。
【請求項４】
雌パーツのリブ状部の突き出し端面の少なくとも一部が、この雌パーツの筒他端側に向かうに連れて次第にこのリブ状部の突き出し寸法を大きくするように傾斜した傾斜面となっていると共に、
雄パーツの脚部の一部が、スパイク状突部の形成箇所を頭部から離れ出させる向きの弾性変形を可能とするバネ状部分となっていることを特徴とする請求項３記載の紐の端部カバー。
【請求項５】
雄パーツの脚部のバネ状部分が、スパイク状突部の形成箇所と頭部との間にあって、
片一端をスパイク状突部の形成箇所に一体化させ、かつ、片他端を頭部側に一体化させると共に、片中間部を脚部の軸中心線側を屈曲内側として屈曲させた一方側屈曲片、及び、他方側屈曲片によって構成されていると共に、
この一方側屈曲片に対して他方側屈曲片が、脚部の軸中心線を基準とした線対称形状を持つように構成されていることを特徴とする請求項４記載の紐の端部カバー。
【発明の詳細な説明】
【技術分野】
【０００１】
この発明は、各種の物品に備え付けられる紐の端部に取り付けられてこの紐の端部を把持しやすくしたり、この紐の端部のほつれを生じさせないようにしたり、二本の紐の端部をこの端部カバーによってまとめたりするなどするために用いられる端部カバーの改良に関する。
【背景技術】
【０００２】
筒状をなす雌パーツ１００と、この雌パーツ１００の筒一端からこの雌パーツ１００内に入れ込まれる脚部２０１を頭部２０２の一面側に備えると共にこの脚部２０１を雌パーツ１００内に入れ込みきった位置でこの頭部２０２を雌パーツ１００の筒一端にはめ込むようにして雌パーツ１００に組み合わされる雄パーツ２００とからなり、雄パーツ２００の脚部２０１に設けられたスパイク状突部２０３と雌パーツ１００の内壁面との間で紐の端部Ｗを挟み付けてこのスパイク状突部２０３を紐の端部Ｗに突き立てるなどしてこの紐の端部Ｗに備え付けられる端部カバーがある。（図２５／特許文献１参照）
【０００３】
しかるにこの端部カバーにあっては、紐の端部Ｗに端部カバーを備え付けさせるにあたり、雌パーツ１００の筒他端から雌パーツ１００内に入れ込まれ筒一端から抜き出された紐の端部Ｗに雄パーツ２００のスパイク状突部２０３を押し付けさせた状態を維持しながら、雌パーツ１００内に雄パーツ２００の脚部２０１を入れ込ませることを余儀なくさせるものであり、この備え付け作業は必ずしも容易でなかった。
【特許文献１】意匠登録第１１９５６１１号公報
【発明の開示】
【発明が解決しようとする課題】
【０００４】
この発明が解決しようとする主たる問題点は、この種の端部カバーを紐の端部に対して作業性良く備え付けさせることができるようにする点にある。
【課題を解決するための手段】
【０００５】
前記問題点を解決するために、この発明にあっては、紐の端部カバーが以下の（１）〜（４）の構成を備えたものとした。
（１）筒両端を解放させた筒状をなす雌パーツと、
（２）雌パーツの筒一端側からこの雌パーツ内に入れ込まれる脚部とこの入れ込み終了位置においてこの雌パーツの筒一端にはめ付けられてこの筒一端を塞ぐ頭部とを有する雄パーツとを備えており、
（３）雄パーツの脚部における前記入れ込み方向に沿った側部には、スパイク状突部が形成されており、雌パーツの筒他端側からこの雌パーツ内に入れ込まれて筒一端から引き出された紐の端部にこのスパイク状突部を突き立てさせた状態で、この雌パーツ内への脚部の入れ込みをなすことにより、このスパイク状突部と雌パーツの締め込み用内面との間で紐の端部を挟み付けるようにしてこの紐の端部に留め付けられるようになっており、
（４）しかも、雄パーツの前記スパイク状突部が、脚部の側方から板内面間に紐の端部を受け入れ可能に形成された一対の保持板部の間に形成されている。
【０００６】
雌パーツの筒他端から雌パーツ内に紐の端部を入れ込みこの雌パーツの筒一端から引き出させた後、この引き出された紐の端部を雄パーツの一対の保持板部間に側方から入れ込ませると共に、この紐の端部にスパイク状突部を突き立てさせることで、この紐の端部と雄パーツとをスパイク状突部のこの突き立て状態を維持させながら組み合わせることができる。そしてこの後、雌パーツ内に雄パーツの脚部を入れ込ませることで、雌パーツの締め込み用内面とスパイク状突部との間で紐の端部を挟み付けて、この紐の端部にスパイク状突部を強固に突き立てさせ、あるいは、突き刺しながら、雌パーツの筒一端に雄パーツの頭部をはめ付けて組み合わされた雌パーツと雄パーツとによって紐の端部を覆うようにして紐の端部に端部カバーを備え付けさせることができる。
【０００７】
前記雄パーツの脚部の両側部にそれぞれ、スパイク状突部とこのスパイク状突部を間に置く一対の保持板部を形成されておくこともある。
【０００８】
このようにした場合、二本の紐の端部を一緒に雌パーツ内に入れ込み引き出した後、引き出された二本の紐の一方の端部を雄パーツの脚部の一方側部に形成されている保持板部間に側方から入れ込ませると共に、引き出された二本の紐の他方の端部を雄パーツの脚部の他方側部に形成されている保持板部間に側方から入れ込ませ、続いて、このように二本の紐の端部に組み合わされた雄パーツの脚部を雌パーツ内に入れ込ませることにより、この二本の紐の端部に端部カバーを容易かつ適切に備え付けさせることができる。
【０００９】
また、前記雌パーツの内部に、この雌パーツ内への雄パーツの脚部の入れ込みに伴ってこの脚部の一対の保持板部間に入り込むリブ状部が形成されていると共に、
このリブ状部の突き出し端面が締め込み用内面となるようにしておくこともある。
【００１０】
このようにした場合、一対の保持板部間に雌パーツから引き出された紐の端部を入れ込ませた後、雄パーツの脚部を雌パーツ内に入れ込ませることによって、この一対の保持板部間に脚部の先端側からリブ状部を入り込ませることができ、そして、このように入り込まされるリブ状部の締め込み用内面によって紐の端部にスパイク状突部を強固に突き立て、あるいは、突き刺させることができる。
【００１１】
また、前記雌パーツのリブ状部の突き出し端面の少なくとも一部が、この雌パーツの筒他端側に向かうに連れて次第にこのリブ状部の突き出し寸法を大きくするように傾斜した傾斜面となっていると共に、
雄パーツの脚部の一部に、スパイク状突部の形成箇所を頭部から離れ出させる向きの弾性変形を可能とするバネ状部分を設けさせておくこともある。
【００１２】
このようにした場合、第一に、一対の保持板部間に雌パーツから引き出された紐の端部を入れ込ませた後、雄パーツの脚部を雌パーツ内に入れ込ませることによって、この一対の保持板部間に脚部の先端側からリブ状部を紐の端部に対する圧迫力を次第に高めながらスムースに入り込ませることができる。
【００１３】
また、第二に、端部カバーを紐の端部に備え付けさせた後、この紐に雌パーツの筒他端側から引き出される向きのテンションが作用された場合には、バネ状部分を弾性変形させてスパイク状突部の形成箇所を雌パーツの筒他端側に移動させることができ、このように移動されるスパイク状部の尖端と締め込み用内面とのピッチは前記傾斜面によってこの形成箇所が筒他端側に移動されればされる程狭くなることから、こうしたテンションが作用されればされる程より強固に紐の端部にスパイク状突部を突き立て、あるいは、突き刺させることができる。
【００１４】
また、第三に、雌パーツから引き出されて一対の保持板部間に入れ込まれた紐の端部が比較的太い場合には、この状態からの雌パーツ内への雄パーツの脚部の入れ込みに伴って締め込み用内面への紐の端部の接触が始まった段階で前記バネ状部分を弾性変形させてスパイク状部の形成箇所を雌パーツの筒一端側に移動させることができ、比較的太い紐の端部に対してもこれを吸収してこの紐の端部に適切に端部カバーを備え付けさせることができる。
【００１５】
また、雄パーツの脚部のバネ状部分が、スパイク状突部の形成箇所と頭部との間にあって、
片一端をスパイク状突部の形成箇所に一体化させ、かつ、片他端を頭部側に一体化させると共に、片中間部を脚部の軸中心線側を屈曲内側として屈曲させた一方側屈曲片、及び、他方側屈曲片によって構成されていると共に、
この一方側屈曲片に対して他方側屈曲片が、脚部の軸中心線を基準とした線対称形状を持つように構成させておくこともある。
【００１６】
このようにした場合、前記バネ状部分の弾性変形量などを脚部の両側、つまり、この脚部の軸中心線を挟んだ両側において均一化させることができ、スパイク状部の形成箇所を雌パーツの筒他端側、あるいは、筒一端側に真っ直ぐに、つまり、いずれかの側に偏ることなくバネ状部分の変形によって移動させることができ、この移動によって紐の端部へのスパイク状突部の突き立て、あるいは、突き刺さり状態に変化を生じさせないようにすることができる。
【発明の効果】
【００１７】
この発明にかかる端部カバーにあっては、雌パーツに通して引き出された紐の端部を雄パーツの脚軸に形成された一対の保持板部間に挟み込ませることにより、この一対の保持板部間に形成されたスパイク状突起がこの紐の端部に突き立てられ、あるいは、突き刺さった状態を維持できることから、この後、単純に雌パーツ内に雄パーツの脚部を入れ込むだけで、あるいは、雌パーツの筒他端側から延び出している紐を引くだけで、雌パーツの締め込み用内面とスパイク状突起との間で紐の端部を挟み付けるようにした両パーツの組み合わせ状態を作り出させることができる。すなわち、端部カバーを紐の端部に対して作業性良く備え付けさせることができる。
【発明を実施するための最良の形態】
【００１８】
以下、図１ないし図２４に基づいて、この発明を実施するための最良の形態について説明する。
【００１９】
なお、ここで図１は、雄パーツ２と分離されている端部カバーを構成する雌パーツ１に紐の端部Ｗを通した状態を、図２は、このように通された紐の端部Ｗを雄パーツ２の脚部における一対の保持板部２０ｉ、２０ｉ間に入れ込ませた状態を、図３は、図２の状態から雌パーツ１内に雄パーツ２の脚部２０を入れ込みこの雄パーツ２と雌パーツ１とを組み合わせて紐の端部Ｗに端部カバーを備え付けさせた状態を、それぞれ示している。
【００２０】
また、図４ないし図９は、かかる端部カバーを、また、図１０ないし図１８は、雄パーツ２を、図１９ないし図２４は、雌パーツ１を、それぞれ示している。
【００２１】
この実施の形態にかかる紐の端部カバーは、各種の物品に備え付けられる引き紐、絞り紐、引き締め紐などの端部に取り付けられてこの紐の端部Ｗを把持しやすくしたり、この紐の端部Ｗのほつれを生じさせないようにしたり、二本の紐の端部Ｗ、Ｗをこの端部カバーによってまとめたりするなどするために用いられるものである。かかる紐としては、丸紐、平紐、合成樹脂製のコードなどが予定される。
【００２２】
かかる端部カバーは、雌パーツ１と雄パーツ２とから構成されている。
【００２３】
雌パーツ１は、筒両端を解放させた筒状をなすように構成されている。図示の例では、かかる雌パーツ１は、扁平の筒状をなすように構成されている。すなわち、図示の例にあっては、かかる雌パーツ１は、幅広の前面１ａと背面１ｂとを有すると共に、幅狭の両側面１ｃ、１ｃを有している。また、図示の例にあっては、かかる雌パーツ１は、その筒軸線に直交する向きの断面外郭形状を、どの位置においても略楕円形状とするように構成されている。また、かかる雌パーツ１の内部には、一対の幅広の内側面１ｄ、１ｄと一対の幅狭の内側面１ｅ、１ｅとが形成されている。
【００２４】
また、図示の例では、かかる雌パーツ１の筒一端側開口１ｆは筒他端側開口１ｇよりも大きくなるように構成されている。また、図示の例では、雌パーツ１の筒他端側開口１ｇ側の内径が絞られており、これにより、この筒他端側開口１ｇ側に筒一端側に向けられた段差面１ｈが形成されている。雌パーツ１の内郭形状は、その筒一端からこの段差面１ｈまでは互いに平行をなす一対の幅広の内側面１ｄ、１ｄと、一対の幅狭の内側面１ｅ、１ｅとを主体として構成されているが、この段差面１ｈから筒他端までは、楕円の長軸方向ほぼ中程の位置から楕円の内方に突き出す張り出し部１ｊによって、内郭形状を二つの円を並列させ、かつ、この二つの円をこの張り出し部の形成位置において連通させ合わせた形状とするようにしており、図示の例では、雌パーツ１の筒他端開口から二本の丸紐の一方の端部Ｗをこの二つの円の一方側に位置されるように入り込ませ、かつ、二本の丸紐の他方の端部Ｗをこの二つの円の他方側に位置されるように入り込ませるようにしてある。また、雌パーツ１の前記段差面１ｈから筒他端までは、この段差面１ｈに向かうに連れて次第に内径を狭めるようになっており、この雌パーツ１の筒他端開口から雌パーツ１内に紐の端部Ｗを入れ込み易くしてある。
【００２５】
一方、雄パーツ２は、雌パーツ１の筒一端側からこの雌パーツ１内に入れ込まれる脚部２０とこの入れ込み終了位置においてこの雌パーツ１の筒一端にはめ付けられてこの筒一端を塞ぐ頭部２１とを有している。
【００２６】
図示の例にあっては、かかる頭部２１は雌パーツ１の断面外郭形状に倣った外郭形状を有している。すなわち、かかる頭部２１は、この雄パーツ２の入れ込み方向に沿った中心線に直交する向きの断面外郭形状を楕円形状とするように構成されている。また、かかる頭部２１は、雌パーツ１の筒一端に整合する大きさを備えた閉塞面２１ａから頭部２１の頂端２１ｂに向かうに連れて次第にその断面形状を小さくするように構成されており、ドーム状の外観を持つように構成されている。
【００２７】
また、かかる雄パーツ２の脚部２０は、棒状の先端部２０ａと、棒状の基部２０ｂとを有していると共に、この先端部２０ａの中間部２０ｃに後述するスパイク状突部２０ｇと保持板部２０ｉとを有し、かつ、この先端部２０ａと基部２０ｂとの間に後述するバネ状部分２０ｄを有し、さらに、この基部２０ｂの一端を前記頭部２１の閉塞面２１ａのほぼ中央部に一体に連接させている。
【００２８】
また、かかる雄パーツ２の脚部２０における前記入れ込み方向に沿った側部には、スパイク状突部２０ｇが形成されており、雌パーツ１の筒他端側からこの雌パーツ１内に入れ込まれて筒一端から引き出された紐の端部Ｗにこのスパイク状突部２０ｇを突き立てさせた状態で、この雌パーツ１内への脚部２０の入れ込みをなすことにより、このスパイク状突部２０ｇと雌パーツ１の締め込み用内面１ｍとの間で紐の端部Ｗを挟み付けるようにしてこの紐の端部Ｗに留め付けられるようになっている。
【００２９】
それと共に、この雄パーツ２の前記スパイク状突部２０ｇは、脚部２０の側方から板内面間に紐の端部Ｗを受け入れ可能に形成された一対の保持板部２０ｉ、２０ｉの間に形成されている。
【００３０】
図示の例にあっては、かかるスパイク状突部２０ｇは、雌パーツ１の幅狭の内側面１ｅに尖端２０ｈを向けるように雄パーツ２の脚部２０に形成されている。図示の例にあっては、かかるスパイク状突部２０ｇは、かかる脚部２０における雌パーツ１の幅狭の内側面１ｅに向けられた側部にそれぞれ、この脚部２０の入れ込み方向において隣り合うスパイク状突部２０ｇとの間に間隔を開けて、三つ設けられている。それぞれのスパイク状突部２０ｇはいずれも、突き出し方向に直交する向きの断面を矩形状とすると共に、その尖端２０ｈに向かうに連れてこの断面を小さくし、この尖端２０ｈを鋭く尖らせるように構成されている。それぞれのスパイク状突部２０ｇはいずれも、雄パーツ２の頭部２１に向けられた面を脚部２０の入れ込み方向にほぼ直交する向きの面とする一方で、これに対向する面を尖端２０ｈに向かうに連れて頭部２１の側に近づく向きに傾斜させた面としており、前記のようにこのスパイク状突部２０ｇが突き立てられて雌パーツ１内への脚部２０の入れ込みによる挟み付けによってこのスパイク状突部２０ｇが強く突き立てられ、あるいは、突き刺された紐に対して雌パーツ１の筒他端側から抜け出す向きのテンションが加えられた場合に、スパイク状突部２０ｇはこのテンションに効果的に抗うようにしてこの紐に食いつくようになっている。
【００３１】
また、雄パーツ２のスパイク状突部２０ｇは、雄パーツ２の脚部２０の先端部２０ａに一辺を一体に連接させてこのスパイク状突部２０ｇの突き出し方向と同じ向きに張り出す前記一対の保持板部２０ｉ、２０ｉ間に形成されている。図示の例では、この保持板部２０ｉの他辺はスパイク状突部２０ｇの尖端２０ｈよりも先に位置されている。また、この保持板部２０ｉは、雄パーツ２の頭部２１に向かうに連れて板幅を次第に広げるように構成されており、この保持板部２０ｉの他辺は、傾斜縁となっている。
【００３２】
また、図示の例にあっては、
（１）一対の保持板部２０ｉ、２０ｉの外面間の寸法が、雌パーツ１の幅広の内側面１ｄの内面間の寸法よりもやや小さくなっていると共に、
（２）雄パーツ２の頭部２１の閉塞面２１ａにおける脚部２０の基部２０ｂを挟んだ両側に形成された突部２１ｃが、雄パーツ２の脚部２０を雌パーツ１内に入れ込み切った位置ではまり込むはまり込み凹部１ｉが雌パーツ１における筒一端開口における幅狭の内側面１ｅ側に形成されており、
（３）さらに、雄パーツ２の脚部２０の基部２０ｂにおける雌パーツ１の幅広の内側面１ｄに向けられる側部にそれぞれ、頭部２１に向いた掛合面２１ｅを備えた掛合突部２１ｄが形成してあり、
（４）雄パーツ２の脚部２０を雌パーツ１内に入れ込みことにより、この掛合突部２１ｄが雌パーツ１の筒一端側開口１ｆ近傍の幅広の内側面１ｄに押し当てられてこの筒一端側開口１ｆをやや弾性的に押し広げさせた後、雄パーツ２の脚部２０を雌パーツ１内に入れ込み切った位置で、雌パーツ１内に形成された掛合凹所１ｏにこの掛合突部２１ｄが雌パーツ１側の弾発によって入り込み掛合されるようになっている。
【００３３】
雌パーツ１の筒他端から雌パーツ１内に紐の端部Ｗを入れ込みこの雌パーツ１の筒一端から引き出させた後、この引き出された紐の端部Ｗを雄パーツ２の一対の保持板部２０ｉ、２０ｉ間に側方から入れ込ませると共に、この紐の端部Ｗにスパイク状突部２０ｇを突き立てさせることで、この紐の端部Ｗと雄パーツ２とをスパイク状突部２０ｇのこの突き立て状態を維持させながら組み合わせることができる。そしてこの後、雌パーツ１内に雄パーツ２の脚部２０を入れ込ませることで、雌パーツ１の締め込み用内面１ｍとスパイク状突部２０ｇとの間で紐の端部Ｗを挟み付けて、この紐の端部Ｗにスパイク状突部２０ｇを強固に突き立てさせ、あるいは、突き刺しながら、雌パーツ１の筒一端に雄パーツ２の頭部２１をはめ付けて組み合わされた雌パーツ１と雄パーツ２とによって紐の端部Ｗを覆うようにして紐の端部Ｗに端部カバーを備え付けさせることができる。
【００３４】
図示の例にあっては、かかる雄パーツ２の脚部２０の両側部にそれぞれ、スパイク状突部２０ｇとこのスパイク状突部２０ｇを間に置く一対の保持板部２０ｉ、２０ｉが形成されている。
【００３５】
これにより図示の例にあっては、二本の紐の端部Ｗ、Ｗを一緒に雌パーツ１内に入れ込み引き出した後、（図１）引き出された二本の紐の一方の端部Ｗを雄パーツ２の脚部２０の一方側部に形成されている保持板部２０ｉ間に側方から入れ込ませると共に、引き出された二本の紐の他方の端部Ｗを雄パーツ２の脚部２０の他方側部に形成されている保持板部２０ｉ間に側方から入れ込ませ、（図２）続いて、このように二本の紐の端部Ｗ、Ｗに組み合わされた雄パーツ２の脚部２０を雌パーツ１内に入れ込ませることにより、この二本の紐の端部Ｗ、Ｗに端部カバーを容易かつ適切に備え付けさせることができる。（図３）
【００３６】
また、図示の例にあっては、雌パーツ１の内部に、この雌パーツ１内への雄パーツ２の脚部２０の入れ込みに伴ってこの脚部２０の一対の保持板部２０ｉ、２０ｉ間に入り込むリブ状部１ｋが形成されていると共に、このリブ状部１ｋの突き出し端面を締め込み用内面１ｍとさせている。
【００３７】
具体的には、図示の例にあっては、雌パーツ１の一対の幅狭の内側面１ｅ、１ｅにそれぞれ、この雌パーツ１の幅広の内側面１ｄとリブ状部１ｋの側面との間に間隔を開けた状態で、リブ状部１ｋが形成されている。図示の例では、かかるリブ状部１ｋは、雌パーツ１のはまり込み凹部１ｉのやや先から段差面１ｈまでの間に亘る長さを持つように形成されている。
【００３８】
これにより、図示の例にあっては、一対の保持板部２０ｉ、２０ｉ間に雌パーツ１から引き出された紐の端部Ｗを入れ込ませた後、雄パーツ２の脚部２０を雌パーツ１内に入れ込ませることによって、この一対の保持板部２０ｉ、２０ｉ間に脚部２０の先端側からリブ状部１ｋを入り込ませることができ、そして、このように入り込まされるリブ状部１ｋの締め込み用内面１ｍによって紐の端部Ｗにスパイク状突部２０ｇを強固に突き立て、あるいは、突き刺させることができる。
【００３９】
また、図示の例にあっては、雌パーツ１のリブ状部１ｋの突き出し端面の少なくとも一部が、この雌パーツ１の筒他端側に向かうに連れて次第にこのリブ状部１ｋの突き出し寸法を大きくするように傾斜した傾斜面１ｎとなっていると共に、
雄パーツ２の脚部２０の一部が、スパイク状突部２０ｇの形成箇所を頭部２１から離れ出させる向きの弾性変形を可能とするバネ状部分２０ｄとなっている。
【００４０】
具体的には、図示の例にあっては、前記リブ状部１ｋの突き出し端面、つまり、締め込み用内面１ｍは、雌パーツ１の筒一端側から筒他端側に向けて次第にこのリブ状部１ｋの突き出し寸法を大きくする向きに傾斜した傾斜面１ｎとなっている。
【００４１】
これにより、図示の例にあっては、第一に、一対の保持板部２０ｉ、２０ｉ間に雌パーツ１から引き出された紐の端部Ｗを入れ込ませた後、雄パーツ２の脚部２０を雌パーツ１内に入れ込ませることによって、この一対の保持板部２０ｉ、２０ｉ間に脚部２０の先端側からリブ状部１ｋを紐の端部Ｗに対する圧迫力を次第に高めながらスムースに入り込ませることができる。
また、第二に、端部カバーを紐の端部Ｗに備え付けさせた後、この紐に雌パーツ１の筒他端側から引き出される向きのテンションが作用された場合には、バネ状部分２０ｄを弾性変形させてスパイク状突部２０ｇの形成箇所を雌パーツ１の筒他端側に移動させることができ、このように移動されるスパイク状部の尖端２０ｈと締め込み用内面１ｍとのピッチは前記傾斜面１ｎによってこの形成箇所が筒他端側に移動されればされる程狭くなることから、こうしたテンションが作用されればされる程より強固に紐の端部Ｗにスパイク状突部２０ｇを突き立て、あるいは、突き刺させることができる。
また、第三に、雌パーツ１から引き出されて一対の保持板部２０ｉ、２０ｉ間に入れ込まれた紐の端部Ｗが比較的太い場合には、この状態からの雌パーツ１内への雄パーツ２の脚部２０の入れ込みに伴って締め込み用内面１ｍへの紐の端部Ｗの接触が始まった段階で前記バネ状部分２０ｄを弾性変形させてスパイク状部の形成箇所を雌パーツ１の筒一端側に移動させることができ、比較的太い紐の端部Ｗに対してもこれを吸収してこの紐の端部Ｗに適切に端部カバーを備え付けさせることができる。
【００４２】
また、図示の例にあっては、雄パーツ２の脚部２０のバネ状部分２０ｄが、スパイク状突部２０ｇの形成箇所と頭部２１との間にあって、
片一端をスパイク状突部２０ｇの形成箇所に一体化させ、かつ、片他端を頭部２１側に一体化させると共に、片中間部２０ｆを脚部２０の軸中心線ｘ側を屈曲内側として屈曲させた一方側屈曲片２０ｅ、及び、他方側屈曲片２０ｅによって構成されていると共に、
この一方側屈曲片２０ｅに対して他方側屈曲片２０ｅが、脚部２０の軸中心線ｘを基準とした線対称形状を持つように構成されている。
【００４３】
具体的には、図示の例にあっては、一方側屈曲片２０ｅ、及び、他方側屈曲片２０ｅは、片一端を脚部２０の中間部２０ｃの頭部２１側に向けられた端部に一体に連接させ、かつ、片他端を、脚部２０の基部２０ｂの脚部２０の先端側に位置される端部の側部に一体に連接させるようにして、この中間部２０ｃと基部２０ｂとの間に隙間２０ｊを開けた状態でこの先端部２０ａと基部２０ｂとを連絡するように設けられている。また、かかる一方側屈曲片２０ｅ、及び、他方側屈曲片２０ｅはいずれも、雌パーツ１の幅狭の内側面１ｅに向けて屈曲突き出す帯状体として構成されている。
【００４４】
これにより、図示の例にあっては、前記バネ状部分２０ｄの弾性変形量などを脚部２０の両側、つまり、この脚部２０の軸中心線ｘを挟んだ両側において均一化させることができ、スパイク状部の形成箇所を雌パーツ１の筒他端側、あるいは、筒一端側に真っ直ぐに、つまり、いずれかの側に偏ることなくバネ状部分２０ｄの変形によって移動させることができ、この移動によって紐の端部Ｗへのスパイク状突部２０ｇの突き立て、あるいは、突き刺さり状態に変化を生じさせないようにすることができる。
【００４５】
なお、以上に説明した端部カバーにおける弾性変形特性を有する部分への弾性変形特性の付与は、前記雌パーツ１および雄パーツ２をプラスチック成形品とすることによって容易に確保させることができる。
【図面の簡単な説明】
【００４６】
【図１】端部カバーの紐の端部Ｗへの備え付け過程を示した一部破断正面図
【図２】端部カバーの紐の端部Ｗへの備え付け過程を示した一部破断正面図
【図３】端部カバーの紐の端部Ｗへの備え付け状態を示した一部破断正面図
【図４】端部カバーの正面図
【図５】同平面図
【図６】同右側面図
【図７】同左側面図
【図８】図４におけるＡ−Ａ線断面図
【図９】図５におけるＢ−Ｂ線断面図
【図１０】雄パーツ２の正面図
【図１１】同平面図
【図１２】同右側面図
【図１３】同左側面図
【図１４】図１０におけるＣ−Ｃ線断面図
【図１５】図１０におけるＤ−Ｄ線断面図
【図１６】図１０におけるＥ−Ｅ線断面図
【図１７】図１０におけるＦ−Ｆ線断面図
【図１８】図１１におけるＧ−Ｇ線断面図
【図１９】雌パーツ１の正面図
【図２０】同平面図
【図２１】同右側面図
【図２２】同左側面図
【図２３】図１９におけるＨ−Ｈ線断面図
【図２４】図２０におけるＩ−Ｉ線断面図
【図２５】従来例を示した斜視図
【符号の説明】
【００４７】
Ｗ  端部
１  雌パーツ
２  雄パーツ
２０  脚部
２０ｇ  スパイク状突部
２０ｉ  保持板部
２１  頭部
【図１】
2005296178.tif 000003
【図２】
2005296178.tif 000004
【図３】
2005296178.tif 000005
【図４】
2005296178.tif 000006
【図５】
2005296178.tif 000007
【図６】
2005296178.tif 000008
【図７】
2005296178.tif 000009
【図８】
2005296178.tif 000010
【図９】
2005296178.tif 000011
【図１０】
2005296178.tif 000012
【図１１】
2005296178.tif 000013
【図１２】
2005296178.tif 000014
【図１３】
2005296178.tif 000015
【図１４】
2005296178.tif 000016
【図１５】
2005296178.tif 000017
【図１６】
2005296178.tif 000018
【図１７】
2005296178.tif 000019
【図１８】
2005296178.tif 000020
【図１９】
2005296178.tif 000021
【図２０】
2005296178.tif 000022
【図２１】
2005296178.tif 000023
【図２２】
2005296178.tif 000024
【図２３】
2005296178.tif 000025
【図２４】
2005296178.tif 000026
【図２５】
2005296178.tif 000027